【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
動画処理装置であって、
動画データを入力する動画データ入力手段と、
該動画データにおける重要シーンが記述された重要シーンデータを入力あるいは生成する重要シーンデータ入力／生成手段と、
該重要シーンデータ入力／生成手段により入力あるいは生成された該重要シーンデータに基づいて第一の再生パラメタを決定する第一再生パラメタ決定手段と、
再生シーンを決定するための第二の再生パラメタを入力する第二再生パラメタ入力手段と、
該第二再生パラメタ入力手段により該第二の再生パラメタが入力された場合には、該第一再生パラメタ決定手段により決定された第一の再生パラメタより該第二再生パラメタ入力手段により入力された第二の再生パラメタを優先的に使用して該動画データの再生シーンを再生するように制御する制御部とを備えることを特徴とする動画処理装置。
【請求項２】
請求項１に記載の動画処理装置であって、
前記第一再生パラメタ決定手段で決定した第一の再生パラメタを利用者に提示する第一再生パラメタ提示手段を有することを特徴とする動画処理装置。
【請求項３】
請求項１又は２いずれかに記載の動画処理装置であって、
前記第一の再生パラメタまたは第二の再生パラメタは前記動画データに対する再生時間を示す情報であることを特徴とする動画処理装置。
【請求項４】
請求項１又は２いずれに記載の動画処理装置であって、
前記第一の再生パラメタまたは第二の再生パラメタは前記動画データの全体の再生時間に対する割合を示す情報であることを特徴とする動画処理装置。
【請求項５】
請求項２に記載の動画処理装置であって、
前記第一再生パラメタ提示手段は、第一の再生パラメタとして、前記動画データに対する再生時間、あるいは前記動画データの全体の再生時間に対する割合、あるいは該動画データに対する再生時間と動画データの全体の再生時間に対する割合の両方を利用者に提示することを特徴とする動画処理装置。
【請求項６】
請求項１に記載の動画処理装置であって、
前記第二再生パラメタ入力手段は、前記動画データに対する再生時間、あるいは前記動画データの全体の再生時間に対する割合を前記第一再生パラメタ決定手段から入力することを特徴とする動画処理装置。
【請求項７】
請求項１から６いずれかに記載の動画処理装置であって、
前記制御部は、前記第二再生パラメタ入力手段により該第二の再生パラメタが入力された場合において、前記第二再生パラメタ入力手段で入力したパラメタの値が、前記第一再生パラメタ決定手段で決定したパラメタの値よりも大きかった場合には、前記重要シーンデータに記述されている各重要シーンの前、あるいは、後ろ、あるいは前後を所定量延ばして再生シーンの再生を行うように制御することを特徴とする動画処理装置。
【請求項８】
請求項１から６いずれかに記載の動画処理装置であって、
前記制御部は、前記第二再生パラメタ入力手段により該第二の再生パラメタが入力された場合において、前記第二再生パラメタ入力手段で入力したパラメタの値が、前記第一再生パラメタ決定手段で決定したパラメタの値よりも小さい場合には、前記重要シーンデータに記述されている各重要シーンの前、あるいは、後ろ、あるいは前後を所定量カットして再生シーンの再生を行うように制御することを特徴とする動画処理装置。
【請求項９】
動画処理装置であって、
動画データを入力する動画データ入力手段と、
該動画データにおけるシーンごとに重要度に応じてランキングづけられたランキングデータを入力あるいは生成するランキングデータ入力／生成手段と、
該ランキングデータに基づいて重要シーンが記述されたデータを生成する重要シーンデータ生成手段と、
該重要シーンデータ生成手段により生成された該重要シーンデータに基づいて第一の再生パラメタを決定する第一再生パラメタ決定手段と、
再生シーンを決定するための第二の再生パラメタを入力する第二再生パラメタ入力手段と、
該第二再生パラメタ入力手段により該第二の再生パラメタが入力された場合には、該第一再生パラメタ決定手段により決定された第一の再生パラメタより、該第二再生パラメタ入力手段により入力された第二の再生パラメタを優先的に使用して該動画データの再生シーンを再生するように制御する制御部とを備えることを特徴とする動画処理装置。
【請求項１０】
請求項９に記載の動画処理装置であって、
前記第一再生パラメタ決定手段で決定した第一の再生パラメタを利用者に提示する第一再生パラメタ提示手段を有することを特徴とする動画処理装置。
【請求項１１】
請求項９又は１０に記載の動画処理装置であって、
前記第一の再生パラメタまたは第二の再生パラメタは前記動画データに対する再生時間を示す情報であることを特徴とする動画処理装置。
【請求項１２】
請求項９又は１０に記載の動画処理装置であって、
前記第一の再生パラメタまたは第二の再生パラメタは前記動画データの全体の再生時間に対する割合を示す情報であることを特徴とする動画処理装置。
【請求項１３】
請求項１０に記載の動画処理装置であって、
前記第一再生パラメタ提示手段は、第一の再生パラメタとして、前記動画データに対する再生時間、あるいは前記動画データの全体の再生時間に対する割合、あるいは該動画データに対する再生時間と動画データの全体の再生時間に対する割合の両方を利用者に提示することを特徴とする動画処理装置。
【請求項１４】
請求項９に記載の動画処理装置であって、
前記第二再生パラメタ入力手段は、前記動画データに対する再生時間、あるいは前記動画データの全体の再生時間に対する割合を前記第一再生パラメタ決定手段から入力することを特徴とする動画処理装置。
【請求項１５】
請求項９から１４いずれかに記載の動画処理装置であって、
前記制御部は、前記第二再生パラメタ入力手段により該第二の再生パラメタが入力された場合において、前記第二再生パラメタ入力手段で入力したパラメタの値が、前記第一再生パラメタ決定手段で決定したパラメタの値よりも大きかった場合には、前記重要シーンデータに記述されている各重要シーンの前、あるいは、後ろ、あるいは前後を延ばして再生シーンの再生を行うように制御することを特徴とする動画処理装置。
【請求項１６】
請求項９から１４いずれかに記載の動画処理装置であって、
前記制御部は、前記再生パラメタ入力手段により該再生パラメタが入力された場合において、前記再生パラメタ入力手段で入力したパラメタの値が、前記第一再生パラメタ決定手段で決定したパラメタの値よりも小さい場合には、前記重要シーンデータに記述されている各重要シーンの前、あるいは、後ろ、あるいは前後をカットして再生シーンの再生を行うように制御することを特徴とする動画処理装置。
【請求項１７】
動画データを入力する動画データ入力部と、
該動画データにおける重要シーンが記述された重要シーンデータを入力あるいは生成する重要シーンデータ入力／生成部と、
該重要シーンデータ入力／生成部により入力あるいは生成された該重要シーンデータを用いて該動画データの再生のためのデフォルトの再生パラメタを決定する再生パラメタ決定部と、
該動画データの再生のための新たな再生パラメタを入力する再生パラメタ入力部と、
該再生パラメタ入力部により該新たな再生パラメタが入力されなかった場合は、該デフォルトの再生パラメタに基づいて該動画データの再生シーンを再生し、該再生パラメタ入力部により該新たな再生パラメタが入力された場合は、該入力された再生パラメタに基づいて該動画データの再生シーンを再生するように制御する制御部とを備えたことを特徴とする動画処理装置。
【請求項１８】
請求項１７記載の動画処理装置であって、
前記デフォルトの再生パラメタ又は前記入力された再生パラメタのうち少なくともいずれか一方を出力する出力部を備えることを特徴とする動画処理装置。
【請求項１９】
請求項１７記載の動画処理装置であって、
前記動画データにおけるシーンごとに重要度に応じてランキングづけられたランキングデータを入力あるいは生成するランキングデータ入力／生成部と、
該ランキングデータに基づいて該動画データの重要シーンを示す重要シーンデータを生成するランキング重要シーンデータ生成部と
前記再生パラメタ決定手段は、該ランキング重要シーンデータ生成部により生成された該重要シーンデータに基づいて該デフォルトの再生パラメタを決定することを特徴とする動画処理装置。
【請求項２０】
請求項１乃至請求項１９のいずれか一の請求項に記載の動画処理装置であって、
前記動画データ入力手段もしくは動画データ入力部によって入力された前記動画データの特徴を記述された特徴データを入力あるいは生成する特徴データ入力／生成手段と、
前記入力された前記動画データのカテゴリを取得するカテゴリ取得手段と、を有し、
前記制御部は、該カテゴリ取得手段によって取得した動画データのカテゴリに応じて、前記ランキングデータに基づいて重要シーンデータを生成するか又は前記特徴データに基づいて動画データの重要シーンを決定して重要シーンデータを生成するか否かを切り換えることを特徴とする動画処理装置。